(57)【要約】  本発明は、機能及び構造が複雑化した紙幣処理装置に関する情報をオペレータに判り易く表示する紙幣処理装置及び当該紙幣処理装置の制御方法を提供することを目的とする。  本発明に係る紙幣処理装置１００は、オペレータからの指示を受け付ける操作部１０３と、グラフィック表示可能な第１及び第２の表示部１０４、１０５と、前記第１及び第２の表示部１０４、１０５に表示するための第１及び第２のデータ３１１、３１２を記憶する記憶部３１０と、所定のイベントの発生を検出する検出手段３０３と、前記検出手段３０３により所定のイベントの発生が検出された場合に、該イベントの内容に基づいて前記記憶部３１０に記憶された第１及び第２のデータ３１１、３１２を読み出し、前記第１の表示部１０４に該第１のデータ３１１を表示させ、前記第２の表示部１０５に該第２のデータ３１２を表示させる制御部３００と、を備えたことを特徴とするものである。
2008044279.tif 000002
【特許請求の範囲】
【請求項１】
オペレータからの指示を受け付ける操作部と、
グラフィック表示可能な第１及び第２の表示部と、
前記第１及び第２の表示部に表示するための第１及び第２のデータを記憶する記憶部と、
所定のイベントの発生を検出する検出手段と、
前記検出手段により所定のイベントの発生が検出された場合に、該イベントの内容に基づいて前記記憶部に記憶された第１及び第２のデータを読み出し、前記第１の表示部に該第１のデータを表示させ、前記第２の表示部に該第２のデータを表示させる制御部と、を備えたことを特徴とする紙幣処理装置。
【請求項２】
請求項１に記載の紙幣処理装置は、さらに、
装置内で発生したジャムを検知する検知部を備え、
前記検出手段は、前記検知部によりジャムが検知された場合にイベントの発生を検出するものであって、
前記制御部は、前記検知部により検知されたジャムの内容に基づいて前記記憶部に記憶された第１及び第２のデータを読み出すものであることを特徴とする紙幣処理装置。
【請求項３】
請求項２に記載の紙幣処理装置であって、
前記第１のデータは、ジャムの内容を示すデータであって、
前記第２のデータは、ジャムの解除方法を示すデータであることを特徴とする紙幣処理装置。
【請求項４】
請求項１〜３のいずれか１項に記載の紙幣処理装置であって、
前記制御部は、前記操作部により受け付けられた指示の内容に基づいて前記記憶部に記憶された第１及び第２のデータを読み出すものであることを特徴とする紙幣処理装置。
【請求項５】
請求項４に記載の紙幣処理装置であって、
前記記憶部は、少なくとも１つの計数結果を記憶可能であって、
前記検出手段は、前記操作部により再鑑計数モードの指示が受け付けられた場合にイベントの発生を検出するものであって、
前記制御部は、初回計数を実行し、該初回計数の結果を前記記憶部に記憶し、再鑑計数を実行し、前記記憶部に記憶された該初回計数の結果を前記第１の表示部に表示させ、該再鑑計数の結果を前記第２の表示部に表示させるものであることを特徴とする紙幣処理装置。
【請求項６】
請求項４又は５に記載の紙幣処理装置であって、
前記記憶部に記憶された第１及び第２のデータは、それぞれ、第１及び第２の言語により表現された第１および第２の言語のメニューデータであって、
前記検出手段は、前記操作部により二カ国語モードの指示が受け付けられた場合にイベントの発生を検出するものであって、
前記制御部は、前記記憶部に記憶された第１及び第２の言語のメニューデータを読み出すものであることを特徴とする紙幣処理装置。
【請求項７】
請求項４〜６のいずれか１項に記載の紙幣処理装置であって、
前記記憶部に記憶された第１及び第２のデータは、それぞれ、第１のメニューデータ及び該第１のメニューデータの下位項目を示す第２のメニューデータであって、
前記検出手段は、前記操作部によりメニュー画面モードの指示が受け付けられた場合にイベントの発生を検出するものであって、
前記制御部は、前記記憶部に記憶された第１及び第２のメニューデータを読み出すものであることを特徴とする紙幣処理装置。
【請求項８】
請求項１〜７のいずれか１項に記載の紙幣処理装置であって、
前記制御部は、前記記憶部に記憶された前記第１及び第２のデータの追加、変更、又は削除を行うものであることを特徴とする紙幣処理装置。
【請求項９】
請求項１〜８のいずれか１項に記載の紙幣処理装置であって、
前記第１及び第２の表示部は、グラフィック式ＬＣＤであることを特徴とする紙幣処理装置。
【請求項１０】
請求項１〜９のいずれか１項に記載の紙幣処理装置であって、
前記第１及び第２のデータの少なくとも１つはグラフィックデータであることを特徴とする紙幣処理装置。
【請求項１１】
紙幣の計数処理を実行可能な紙幣処理装置の制御方法であって、
所定のイベントの発生を検出する検出ステップと、
前記検出されたイベントの内容に基づいて記憶部に記憶された第１及び第２のデータを読み出す読出ステップと、
前記読み出された第１のデータを第１の表示部に表示させ、前記読み出された第２のデータを第２の表示部に表示させる表示ステップと、を含むことを特徴とする紙幣処理装置の制御方法。
【請求項１２】
請求項１１に記載の紙幣処理装置の制御方法は、さらに、
前記検出ステップは、装置内でジャムが発生した場合にイベントの発生を検出するステップであって、
前記読出ステップは、前記検知されたジャムの内容に基づいて第１及び第２のデータを読み出すステップであることを特徴とする紙幣処理装置の制御方法。
【請求項１３】
請求項１２に記載の紙幣処理装置の制御方法であって、
前記第１のデータは、ジャムの内容を示すデータであって、
前記第２のデータは、ジャムの解除方法を示すデータであることを特徴とする紙幣処理装置の制御方法。
【請求項１４】
請求項１１〜１３のいずれか１項に記載の紙幣処理装置の制御方法は、さらに、
オペレータからの指示を受け付ける受付ステップを含み、
前記検出ステップは、前記受付ステップにおいて指示が受け付けられた場合にイベントの発生を検出するステップであって、
前記読出ステップは、前記受け付けられた指示の内容に基づいて前記記憶部に記憶された第１及び第２のデータを読み出すステップであることを特徴とする紙幣処理装置の制御方法。
【請求項１５】
請求項１４に記載の紙幣処理装置の制御方法であって、
前記受付ステップは、再鑑計数モードの指示を受け付けるステップであって、
初回計数処理を行い、該初回計数結果を前記記憶部に記憶し、再鑑計数処理を行う再鑑計数処理ステップを含み、
前記読出ステップは、前記記憶部に記憶された初回計数結果を読み出すステップであって、
前記表示ステップは、前記読出ステップにおいて読み出された前記初回計数結果を前記第１の表示部に表示させ、前記再鑑計数処理ステップにおいて処理された再鑑計数結果を前記第２の表示部に表示させるステップであることを特徴とする紙幣処理装置の制御方法。
【請求項１６】
請求項１４又は１５に記載の紙幣処理装置の制御方法であって、
前記第１及び第２のデータは、それぞれ、第１及び第２の言語により表現された第１及び第２の言語のメニューデータであって、
前記受付ステップは、二カ国語モードの指示を受け付けるステップであって、
前記読出ステップは、前記第１及び第２の言語のメニューデータを読み出すステップであることを特徴とする紙幣処理装置の制御方法。
【請求項１７】
請求項１４〜１６のいずれか１項に記載の紙幣処理装置の制御方法であって、
前記第１及び第２のデータは、それぞれ、第１のメニューデータ及び該第１のメニューデータの下位項目を示す第２のメニューデータであって、
前記受付ステップは、メニュー画面モードの指示を受け付けるステップであって、
前記読出ステップは、第１及び第２のメニューデータを読み出すステップであることを特徴とする紙幣処理装置の制御方法。
【請求項１８】
請求項１１〜１７のいずれか１項に記載の紙幣処理装置の制御方法であって、
前記第１及び第２のデータを追加し、変更し、又は削除する記憶部制御ステップを含むことを特徴とする紙幣処理装置の制御方法。
【発明の詳細な説明】
【技術分野】
【０００１】
本発明は、紙幣処理装置及び紙幣処理装置の制御方法に関し、特に、複数のグラフィック表示可能な表示部を含み、オペレータに対して判り易い表示を行う紙幣処理装置及び当該紙幣処理装置の制御方法に関する。
【背景技術】
【０００２】
近年、紙幣処理装置の機能及び構造が複雑化したことに伴い、紙幣処理装置のメニュー画面や異常（例えば、ジャム）をオペレータに判り易く表示することが求められている。これに対して、複数の表示部を備えた紙幣処理装置が知られている。【０００３】
例えば、特開２０００−２５９８９５号公報（以下、「特許文献１」という）に開示された紙幣処理装置は、機能表示部２０８、全体表示部２０９及び第１〜第３個別表示部２１０〜２１２を有している。機能表示部２０８は、機能設定時の設定内容及びガイダンスを表示させるものである。全体表示部２０９は、ガイダンス表示部２１６及びデジタル表示部２２１から成る。ガイダンス表示部２１６は、ジャムが発生した場合にジャムの発生位置に対応するＬＥＤ２２３を点灯させるものであり、デジタル表示部２２１は、金額又は枚数の合計値を数字で表示させるものである。第１〜第３個別表示部２１０〜２１２は、対応する集積部６９〜７１に集積された紙幣の枚数又は金額を表示させるものである（特許文献１の段落０１０４〜０１１２、並びに図１０、１４及び１５を参照）。【０００４】
しかし、特許文献１に開示された紙幣処理装置の機能表示部２０８、全体表示部２０９及び第１〜第３個別表示部２１０〜２１２は、それぞれ、予め定められた情報を表示させるものに過ぎない。すなわち、機能表示部２０８は機能設定時の設定内容及びガイダンスを表示させるものであり、全体表示部２０９はジャムの発生位置や金額の合計値を表示させるものであり、第１〜第３個別表示部２１０〜２１２は対応する集積部６９〜７１に集積された紙幣の枚数等を表示させるものである。従って、特許文献１に開示された紙幣処理装置では、複雑化した機能及び構造について、オペレータに対して判り易く表示させることが困難であった。
【発明の開示】
【０００５】
本発明は、紙幣処理装置の複雑化した機能及び構造について、オペレータに対して判り易く表示させる紙幣処理装置及び当該紙幣処理装置の制御方法を提供することを目的とするものである。
【０００６】
本発明の第１の態様によれば、オペレータからの指示を受け付ける操作部と、グラフィック表示可能な第１及び第２の表示部と、前記第１及び第２の表示部に表示するための第１及び第２のデータを記憶する記憶部と、所定のイベントの発生を検出する検出手段と、前記検出手段により所定のイベントの発生が検出された場合に、該イベントの内容に基づいて前記記憶部に記憶された第１及び第２のデータを読み出し、前記第１の表示部に該第１のデータを表示させ、前記第２の表示部に該第２のデータを表示させる制御部と、を備えたことを特徴とする紙幣処理装置が提供される。
【０００７】
本発明の第２の態様によれば、紙幣の計数処理を実行可能な紙幣処理装置の制御方法であって、所定のイベントの発生を検出する検出ステップと、前記検出されたイベントの内容に基づいて記憶部に記憶された第１及び第２のデータを読み出す読出ステップと、前記読み出された第１のデータを第１の表示部に表示させ、前記読み出された第２のデータを第２の表示部に表示させる表示ステップと、を含むことを特徴とする紙幣処理装置の制御方法が提供される。
【０００８】
本発明によれば、紙幣処理装置の複雑な機能及び構造について、オペレータに判り易く表示させることができる。その結果、オペレータの作業効率を向上させるとともに、操作ミスを低減することができる。
【図面の簡単な説明】
【０００９】
【図１】本発明の一実施例に係る紙幣処理装置１００の外観を示す斜視図である。
【図２】本発明の一実施例に係る紙幣処理装置１００の内部構成を示す平面図である。
【図３】本発明の一実施例に係る紙幣処理装置１００の構成を示すブロック図である。
【図４】本発明の一実施例に係る第１及び第２の全体表示部１０４、１０５に表示される画面例を示す概略図である。
【図５】本発明の一実施例に係る表示処理の際の制御部３００の処理手順の一例を示すフローチャートである。
【図６】図５に示された処理手順の具体例を示すフローチャートである。
【発明を実施するための最良の形態】
【００１０】
以下に、図面を参照して本発明の実施例を説明する。なお、以下の内容は、本発明の実施の一形態であって、本発明を限定するものではない。【００１１】
図１は、本発明の一実施例に係る紙幣処理装置１００の外観を示す斜視図である。【００１２】
本発明の実施例に係る紙幣処理装置１００は、ホッパ１０１、リジェクト部１０２、操作部１０３、第１の全体表示部１０４、第２の全体表示部１０５、４つの集積部１０６及び４つの個別表示部１０７を有する。【００１３】
ホッパ１０１は、オペレータによって載置された紙幣を紙幣処理装置１００の内部に送り込む。リジェクト部１０２は、ホッパ１０１によって送り込まれた紙幣がリジェクト紙幣である場合（例えば、「偽券」である場合）に当該紙幣を排出する。操作部１０３は、オペレータからの指示を受け付けるための入力キーを備える。第１の全体表示部１０４及び第２の全体表示部１０５は、後述する様々なデータ（例えば、グラフィックデータ）を表示する。集積部１０６は、ホッパ１０１から送り込まれた紙幣を金種毎に集積するとともに、満杯状態になったことを検知する。個別表示部１０７は、集積部１０６毎に設けられていて、対応する集積部１０６に集積された紙幣の数を表示する。なお、図１では、集積部１０６及び個別表示部１０７が４つの場合について図示したが、集積部１０６及び個別表示部１０７の数は４つに限られるものではない。【００１４】
第１の全体表示部１０４及び第２の全体表示部１０５は、例えば、グラフィック式液晶ディスプレイ（ＬＣＤ）である。個別表示部１０７は、例えば、キャラクタ式１行ＬＣＤである。【００１５】
図２は、本発明の一実施例に係る紙幣処理装置１００の内部構成を示す平面図である。【００１６】
本発明の実施例に係る紙幣処理装置１００は、搬送ベルト２０１、センサ２０２、分岐部材２０３、残留検知センサ２０４及び識別部２０５を内部に有する。【００１７】
搬送ベルト２０１は、ホッパ１０１から送り込まれた紙幣をリジェクト部１０２又は集積部１０６に搬送する。センサ２０２は複数箇所に設けられ、それぞれの場所においてジャムを検知する。分岐部材２０３は、リジェクト部１０２又は複数の集積部１０６のそれぞれへの分岐点に設けられ、搬送ベルト２０１の経路を分岐させる。残留検知センサ２０４は、集積部１０６毎に設けられ、対応する集積部１０６に紙幣が残留しているか否かを検知する。識別部２０５は、紙幣の属性（「偽券」、「正券／損券」、「金種」、「新札／旧札」等）を識別する。【００１８】
図３は、本発明の一実施例に係る紙幣処理装置１００の構成を示すブロック図である。【００１９】
本発明の実施例に係る紙幣処理装置１００は、制御部３００及び記憶部３１０を有する。制御部３００は、例えば、中央演算処理装置（ＣＰＵ）である。記憶部３１０は、例えば、ハードディスク（ＨＤＤ）等のコンピュータ読み取り可能な記憶媒体又はＣＤ−ＲＯＭ等の着脱可能な記憶媒体である。【００２０】
制御部３００は、制御手段３０１、記憶部制御手段３０２、イベント検出手段３０３、表示部制御手段３０４及び計数手段３０５を有する。【００２１】
制御手段３０１は、紙幣処理装置１００の全体の動作（例えば、図１及び２で示された各部の動作）を制御する。記憶部制御手段３０２は、記憶部３１０との間でデータの読み出し及び書き込みを行う。イベント検出手段３０３は、操作部１０３からオペレータの指示が受け付けられたか否か、集積部１０６が満杯状態になったか否か、センサ２０２によってジャムが検知されたか否か、及び残留検知センサ２０４によって集積部１０６の残留紙幣の有無が検知されたか否かを検出する。表示部制御手段３０４は、個別表示部１０７、第１の全体表示部１０４及び第２の全体表示部１０５に記憶部３１０に記憶されたデータを表示させる。計数手段３０５は、ホッパ１０１に載置され、紙幣処理装置１００内に送り込まれた紙幣を計数する。この計数処理は、操作部１０３から「再鑑計数モード」の指示が受け付けられた場合には複数回行われる。この場合は、初回計数処理が終了した後に計数処理を一時停止し、オペレータによって集積部１０６に集積された紙幣がホッパ１０１に再び載置された後に２回目以降の計数処理を行う。【００２２】
記憶部３１０は、絵柄を含むグラフィックデータ（第１のグラフィックデータ３１１及び第２のグラフィックデータ３１２）並びに文字のみで構成されるキャラクタデータ（第１のキャラクタデータ３１３及び第２のキャラクタデータ３１４）を予め記憶するとともに、紙幣の計数結果（初回計数結果３１５）を記憶可能である。さらに、第１及び第２の全体表示部１０４、１０５に表示するためのデータ以外のその他のデータ３１６も記憶可能である。なお、第１のグラフィックデータ３１１及び第２のグラフィックデータ３１２、並びに第１のキャラクタデータ３１３及び第２のキャラクタデータ３１４は、追加し、変更し、又は削除することが可能である。また、初回計数結果３１５だけでなく、複数の計数結果も記憶可能である。【００２３】
図５は、本発明の一実施例に係る表示処理の際の制御部３００の処理手順の一例を示すフローチャートである。【００２４】
はじめに、イベント検出手段３０３が、イベント発生が検出されたか否かを判断する（Ｓ５０１）。イベント発生が検出された場合は（Ｓ５０１−Ｙｅｓ）、記憶部制御手段３０２が、検出されたイベントの内容に基づいて記憶部３１０に記憶されたデータ（例えば、第１のグラフィックデータ３１１及び第２のグラフィックデータ３１２）を読み出す（Ｓ５０２）。続いて、表示部制御手段３０４が、第１のグラフィックデータ３１１を第１の全体表示部１０４に表示させる（Ｓ５０３）。続いて、表示部制御手段３０４が、第２のグラフィックデータ３１２を第２の全体表示部１０５に表示させる（Ｓ５０４）。なお、Ｓ５０３とＳ５０４は順不同であり、同時に行われても良い。また、Ｓ５０４において、グラフィックデータ、計数結果及びキャラクタデータを組み合わせて表示しても良い。【００２５】
図６は、図５に示された処理手順の具体例を示すフローチャートである。【００２６】
はじめに、イベント検出手段３０３が、イベント発生が検出されたか否かを判断する（Ｓ６０１）。【００２７】
検出されたイベントが「ジャム発生」であった場合は（Ｓ６０１−Ａ）、記憶部制御手段３０２が、検出されたジャムの種類に基づいてジャムの発生箇所を示すグラフィックデータ（第１のグラフィックデータ３１１）とジャムの解除方法を示すキャラクタデータ（第２のキャラクタデータ３１４）を記憶部３１０から読み出す（Ｓ６０２）。続いて、表示部制御手段３０４が、ジャムの発生箇所を示すグラフィックデータを第１の全体表示部１０４に表示させる（Ｓ６０３）。続いて、表示部制御手段３０４が、ジャムの解除方法を示すキャラクタデータを第２の全体表示部１０５に表示させる（Ｓ６０４）。その結果、第１の全体表示部１０４には図４（Ａ１）に示される画面が、第２の全体表示部１０５には図４（Ａ２）に示される画面が表示される。なお、Ｓ６０３とＳ６０４は順不同であり、同時に行われても良い。また、ジャムの発生箇所を示すデータと解除方法を示すデータは、いずれがグラフィックデータであっても良く、両方ともグラフィックデータ又はキャラクタデータであっても良い。また、Ｓ６０１において、集積部１０６の残留紙幣又は満杯状態を検知した場合にも同様の処理手順によって表示処理が行われる。【００２８】
一方、検出されたイベントが「再鑑計数モード指定」であった場合は（Ｓ６０１−Ｂ）、計数手段３０５が初回計数処理を行い、記憶部制御手段３０２が初回計数結果３１５を記憶部３１０に書き込む（Ｓ６０５）。続いて、計数手段３０５が再鑑計数処理を行う（Ｓ６０６）。続いて、記憶部制御手段３０２が、記憶部３１０から初回計数結果３１５を読み出す（Ｓ６０７）。続いて、表示部制御手段３０４が、初回計数結果３１５を第１の全体表示部１０４に表示させる（Ｓ６０８）。続いて、再鑑計数結果３１４を第２の全体表示部１０５に表示させる（Ｓ６０９）。その結果、第１の全体表示部１０４には図４（Ｂ１）に示される画面が、第２の全体表示部１０５には図４（Ｂ２）に示される画面が表示される。なお、Ｓ６０８とＳ６０９は順不同であり、同時に行われても良い。また、計数処理の回数は３回以上であっても良く、その場合には、２回目以降の計数結果も記憶部３１０に記憶される。【００２９】
一方、検出されたイベントが「二カ国語モード指定」であった場合は（Ｓ６０１−Ｃ）、記憶部制御手段３０２が、指定された言語に基づいてグラフィックデータを記憶部３１０から読み出す。例えば、「日本語＋英語モード指定」であった場合は、日本語メニューと英語メニューを記憶部３１０から読み出す（Ｓ６１０）。続いて、表示部制御手段３０４が、日本語メニューを第１の全体表示部１０４に表示させる（Ｓ６１１）。続いて、表示部制御手段３０４が、英語メニューを第２の全体表示部１０５に表示させる（Ｓ６１２）。その結果、第１の全体表示部１０４には図４（Ｃ１）に示される画面が、第２の全体表示部１０５には図４（Ｃ２）に示される画面が表示される。なお、Ｓ６１１とＳ６１２は順不同であり、同時に行われても良い。また、日本語メニューを示すデータと英語メニューを示すデータは、いずれがグラフィックデータであっても良く、両方ともグラフィックデータ又はキャラクタデータであっても良い。【００３０】
一方、検出されたイベントが「メニュー画面モード指定」であった場合は（Ｓ６０１−Ｄ）、記憶部制御手段３０２が、全体メニューと詳細メニューを記憶部３１０から読み出す（Ｓ６１３）。続いて、表示部制御手段３０４が、全体メニューを第１の全体表示部１０４に表示させる（Ｓ６１４）。続いて、表示部制御手段３０４が、詳細メニューを第２の全体表示部１０５に表示させる（Ｓ６１５）。その結果、第１の全体表示部１０４には図４（Ｄ１）に示される画面が、第２の全体表示部１０５には図４（Ｄ２）に示される画面が表示される。なお、Ｓ６１４とＳ６１５は順不同であり、同時に行われても良い。また、全体メニューを示すデータと詳細メニューを示すデータは、いずれがグラフィックデータであっても良く、両方ともグラフィックデータ又はキャラクタデータであっても良い。【００３１】
本実施例によれば、第１の全体表示部１０４及び第２の全体表示部１０５のそれぞれに発生したイベントに応じて異なるデータを表示させるので、発生したイベントに関する情報をオペレータに判り易く表示することができる。具体的には、ジャムが発生した場合には、ジャムの発生位置及び解除方法のグラフィックデータを表示するので、オペレータは、ジャムを容易に解除することができる。また、「再鑑計数モード」が指定された場合には、初回計数結果と再鑑計数結果を表示するので、オペレータは２回の計数結果を容易に比較することができる。また、「二カ国語モード」が指定された場合には、２つの言語で表現されたメニュー画面を表示するので、母国語の異なるオペレータが使用する環境においても使い勝手を損なうことがない。また、「メニュー画面モード」が指定された場合には、全体メニューと詳細メニューを表示するので、オペレータは所望の機能項目を容易に選択することができる。【００３２】
さらに、第１の全体表示部１０４及び第２の全体表示部１０５のそれぞれに表示される画面を発生したイベントに応じて切り替えるので、発生するイベント毎に表示部を設ける必要が無く、紙幣処理装置の構造を簡略化することができる。また、記憶部３１０に記憶されたグラフィックデータ及びキャラクタデータを追加し、変更し、又は削除するので、紙幣処理装置１００の機能又は構造が変更された場合にも表示部を増やすことなく対応することができる。
【図１】
2008044279.tif 000003
【図２】
2008044279.tif 000004
【図３】
2008044279.tif 000005
【図４】
2008044279.tif 000006
【図５】
2008044279.tif 000007
【図６】
2008044279.tif 000008
【国際調査報告】
2008044279.tif 000009
2008044279.tif 000010
2008044279.tif 000011